【手続補正書】
【提出日】平成29年3月29日(2017.3.29)
【手続補正１】
【補正対象書類名】特許請求の範囲
【補正対象項目名】全文
【補正方法】変更
【補正の内容】
【特許請求の範囲】
【請求項１】
非接触にて内皮細胞の撮影及び被検眼の角膜の膜厚測定を行う眼科装置であって、被検眼の角膜内皮を撮影する撮像部と、該撮像部で撮影された角膜内皮画像から内皮細胞の境界を検出して該境界を境界線で網がけする画像処理を行う制御部と、前記内皮細胞の前記境界が前記境界線で網がけされた解析画像を表示する表示部と、操作部とを具備し、前記制御部は前記操作部からの入力に基づき前記境界線の濃淡を変更することを特徴とする眼科装置。
【請求項２】
前記表示部は前記操作部を兼ねるタッチパネルであり、前記制御部は前記表示部に対する画面の押下を検出し、押下位置からのスライド方向及び距離に基づき前記境界線の濃淡を変更する請求項１の眼科装置。
【請求項３】
前記制御部は、前記角膜内皮画像と前記解析画像とを前記表示部に並べて表示させる請求項１又は請求項２の眼科装置。
【手続補正２】
【補正対象書類名】明細書
【補正対象項目名】０００４
【補正方法】変更
【補正の内容】
【０００４】
撮影された角膜内皮画像からは、内皮細胞の形状や大きさを特定する為の、内皮細胞の境界を網がけした境界線を解析により得ることができるが、境界線の位置は境界の位置と必ずしも一致しているわけではなく、解析を行う際には、検者が角膜内皮画像をモニタ等に表示し、表示された角膜内皮画像から境界と境界線の位置が一致しているかを判断し、必要に応じて境界線の追加や削除等の編集処理を行う必要がある。
【手続補正３】
【補正対象書類名】明細書
【補正対象項目名】０００５
【補正方法】変更
【補正の内容】
【０００５】
然し乍ら、従来の眼科装置では、角膜内皮画像の境界線をＯＮ／ＯＦＦする機能しか有しておらず、角膜内皮画像の明るさによっては境界線が見え難いことがあり、境界と境界線の位置が一致しているかを判断するのが困難であった。
【手続補正４】
【補正対象書類名】明細書
【補正対象項目名】０００７
【補正方法】変更
【補正の内容】
【０００７】
本発明は斯かる実情に鑑み、角膜内皮画像の明暗に拘らず、内皮細胞の境界と境界線とを容易に判別可能な眼科装置を提供するものである。
【手続補正５】
【補正対象書類名】明細書
【補正対象項目名】０００８
【補正方法】変更
【補正の内容】
【０００８】
本発明は、非接触にて内皮細胞の撮影及び被検眼の角膜の膜厚測定を行う眼科装置であって、被検眼の角膜内皮を撮影する撮像部と、該撮像部で撮影された角膜内皮画像から内皮細胞の境界を検出して該境界を境界線で網がけする画像処理を行う制御部と、前記内皮細胞の前記境界が前記境界線で網がけされた解析画像を表示する表示部と、操作部とを具備し、前記制御部は前記操作部からの入力に基づき前記境界線の濃淡を変更する眼科装置に係るものである。
【手続補正６】
【補正対象書類名】明細書
【補正対象項目名】００１１
【補正方法】変更
【補正の内容】
【００１１】
本発明によれば、非接触にて内皮細胞の撮影及び被検眼の角膜の膜厚測定を行う眼科装置であって、被検眼の角膜内皮を撮影する撮像部と、該撮像部で撮影された角膜内皮画像から内皮細胞の境界を検出して該境界を境界線で網がけする画像処理を行う制御部と、前記内皮細胞の前記境界が前記境界線で網がけされた解析画像を表示する表示部と、操作部とを具備し、前記制御部は前記操作部からの入力に基づき前記境界線の濃淡を変更するので、前記角膜内皮画像の明暗により前記境界線を単にＯＮ／ＯＦＦするだけでは判別し難かった箇所についても、前記境界の位置と前記境界線の位置とが一致しているかを容易に判別することができ、作業性及び作業の正確性を向上させることができる。
【手続補正７】
【補正対象書類名】明細書
【補正対象項目名】００１３
【補正方法】変更
【補正の内容】
【００１３】
更に又本発明によれば、前記制御部は、前記角膜内皮画像と前記解析画像とを前記表示部に並べて表示させるので、境界の位置と境界線の位置とが一致しているかを容易に判別することができ、作業性を向上させることができるという優れた効果を発揮する。
【手続補正８】
【補正対象書類名】明細書
【補正対象項目名】００３８
【補正方法】変更
【補正の内容】
【００３８】
又、前記撮像部１９で取得された角膜内皮画像５９（後述）は前記制御部４９に送出され、内皮細胞の境界の検出、内皮細胞の数及び密度の演算、角膜厚の演算等の所定の解析処理が行われる。その後、解析結果に基づき前記角膜内皮画像５９に対して所要の画像処理がなされ、前記記憶部５３に格納され、或は前記表示部５４に表示される。
【手続補正９】
【補正対象書類名】明細書
【補正対象項目名】００４１
【補正方法】変更
【補正の内容】
【００４１】
前記角膜内皮画像５９は、画像処理を施していない角膜内皮の元画像となっており、前記解析画像６１は、前記角膜内皮画像５９に対して画像処理を行い、検出した内皮細胞６４の境界を所定の色、例えば黒色の境界線６５で網がけした画像となっている。
【手続補正１０】
【補正対象書類名】明細書
【補正対象項目名】００５４
【補正方法】変更
【補正の内容】
【００５４】
前記編集画像７２の編集を行う際には、前記境界線追加ボタン７４を押下することで、前記編集画像７２中の前記境界線６５を追加するモードへと切替えることができ、境界の箇所に前記境界線６５が存在しない場合に、画面上で境界をなぞることで前記境界線６５を追加することができる。
【手続補正１１】
【補正対象書類名】明細書
【補正対象項目名】００５５
【補正方法】変更
【補正の内容】
【００５５】
又、前記境界線削除ボタン７５を押下することで、前記編集画像７２中の前記境界線６５を削除するモードへと切替えることができ、該境界線６５が境界以外の箇所に存在する場合に、画面上で余分な前記境界線６５を押下することで、該境界線６５を削除することができる。
【手続補正１２】
【補正対象書類名】明細書
【補正対象項目名】００６７
【補正方法】変更
【補正の内容】
【００６７】
検者は、前記解析結果画面５７に並んで表示されている前記角膜内皮画像５９と前記解析画像６１を見比べ、又該解析画像６１を押下した指を上下にスライドさせて前記境界線６５の濃淡を調整し、前記角膜内皮画像５９が正常に撮影されているか、又前記内皮細胞６４の境界に前記境界線６５が正しく網がけされているかを判断する。
【手続補正１３】
【補正対象書類名】明細書
【補正対象項目名】００７２
【補正方法】変更
【補正の内容】
【００７２】
更に、前記マニュアル編集画面７１の前記編集画像７２及び前記サムネイル画像７３以外の箇所を指で押下し、押下した指を上下にスライドさせて前記境界線６５の濃淡を変化させることで、検者が前記内皮細胞６４の境界の位置と前記境界線６５の位置が一致しているかを判断する。
【手続補正１４】
【補正対象書類名】明細書
【補正対象項目名】００７６
【補正方法】変更
【補正の内容】
【００７６】
従って、画像の明暗により該境界線６５を単にＯＮ／ＯＦＦするだけでは判別し難かった箇所についても、前記内皮細胞６４の境界の位置と前記境界線６５の位置が一致しているかを容易に判別することができ、作業性及び編集処理の正確性を向上させることができる。
【手続補正１５】
【補正対象書類名】明細書
【補正対象項目名】００７７
【補正方法】変更
【補正の内容】
【００７７】
又、前記解析結果画面５７に於いて、前記撮像部１９にて撮影された角膜内皮の元画像である前記角膜内皮画像５９と、該角膜内皮画像５９中の前記内皮細胞６４の境界を前記境界線６５で網がけした前記解析画像６１とを並べて表示しており、同じ画面上で前記角膜内皮画像５９と前記解析画像６１とを見比べることができるので、前記内皮細胞６４の境界の位置と前記境界線６５の位置が一致しているかを容易に判別することができ、作業性を向上させることができる。